【手続補正書】
【提出日】平成20年3月28日(2008.3.28)
【手続補正１】
【補正対象書類名】明細書
【補正対象項目名】特許請求の範囲
【補正方法】変更
【補正の内容】
【特許請求の範囲】
【請求項１】  増粘剤、および場合により充填剤、顔料、防腐剤、溶剤、可塑剤および助剤を含む水性ポリマー分散体に基づく接着剤であって、以下の成分：
Ａ）  分散体の固体含量が３０〜８０質量％の範囲にあり、少なくともスチレン並びにアルキル基に１〜１２個の炭素原子を含むアルキルアクリレートまたはアルキルメタクリレートのコポリマーの少なくとも１つの水性分散体１０〜９８質量％、
Ｂ）  ａ）高分散シリカ等の無機増粘剤０．４〜６質量％
ｂ）固体含量１０〜４０質量％を有する少なくともアクリル酸およびアクリルアミドに基づくポリマーの水性系１〜１０質量％、ただし、この水性系の９０質量％までは、固体含量２０〜４０質量％を有する、アクリレート系ポリマー、アクリル酸およびメタクリル酸系コポリマーまたはポリウレタンに基づく分散体の少なくとも１つにより交換可能である
を組み合わせた増粘剤
Ｃ）充填剤０〜８８質量％
Ｄ）顔料０〜２質量％
Ｅ）助剤０〜３質量％
Ｆ）可塑剤０〜４０質量％
Ｇ）水
から製造できることを特徴とする接着剤。
【請求項２】  Ａ）スチレン／アクリレートコポリマー分散体５１〜９８質量％、
Ｂ）ａ）高分散シリカ１〜３質量％
ｃ）アクリル酸／アクリルアミドコポリマー油中水エマルション１〜５質量％
を含む請求項１に記載の接着剤。
【請求項３】  ｐＨが７以上、特に７〜１０の範囲であることを特徴とする請求項１または２に記載の接着剤。
【請求項４】  少なくともアクリル酸およびアクリルアミドに基づくポリマーの水性系（成分Ｂｂ）を最終工程で他の成分に添加することを特徴とする請求項１〜３のいずれかに記載の接着剤の製造方法。
【請求項５】  接着剤をカートリッジから適用することを特徴とする請求項１〜３のいずれかに記載の接着剤の使用。
【請求項６】  接着剤を３０ｍｍまでおよび特に２０ｍｍまでの層厚で基材に適用することを特徴とする請求項５に記載の接着剤の使用。
【手続補正２】
【補正対象書類名】明細書
【補正対象項目名】０００１
【補正方法】変更
【補正の内容】
【０００１】
（技術分野）
本発明は、増粘剤および場合により充填剤、顔料、防腐剤、溶剤、可塑剤および他の助剤を含む水性ポリマー分散体に基づく接着剤に関する。本発明は、その製造方法および二次接着剤（組立用接着剤）としての使用にも関する。
【手続補正３】
【補正対象書類名】明細書
【補正対象項目名】０００３
【補正方法】変更
【補正の内容】
【０００３】
二次接着剤の好ましい用途は、天井、壁および床への物体の急速かつ永久的固着である。これについて特別な要求は、（例えば、レンガ、硬質レンガ、パネル、天井板などの接着において）接着剤の適用後に更なるいかなる固定も必要なしに、重い物体を急速かつ簡単に組み立てることである。接着剤組成物は、どのような表面むらをも「ブリッジ」（隙間ブリッジ）出来なければならない。
【手続補正４】
【補正対象書類名】明細書
【補正対象項目名】００１４
【補正方法】変更
【補正の内容】
【００１４】
（その解決方法）
本発明により提供された解決方法は、請求項中に定義され、以下の成分：
Ａ）分散体の固体含量が３０〜８０、特に４０〜６５質量％の範囲にあり、少なくともスチレン並びにアルキル基に１〜１２個の炭素原子、特に２〜８個の炭素原子を有するアルキルアクリレートまたはアルキルメタクリレートのコポリマーの少なくとも１つの分散体１０〜９８、特に５１〜８８およびとりわけ６０〜７０質量％、
Ｂ）ａ）高分散シリカ等の無機増粘剤０．４〜６、特に０．５〜５およびとりわけ１〜３質量％、および
ｂ）固体含量１０〜４０、特に２５〜３５質量％を有する少なくともアクリル酸およびアクリルアミドに基づくコポリマーの水性系１〜１０、特に１．５〜５質量％、ただし、この水性系の９０質量％まで、特に５０％までは、固体含量２０〜４０、特に２５〜３５質量％を有する、アクリレート系ポリマー、アクリル酸およびメタクリル酸に基づくコポリマーおよび水溶性ポリウレタンを含む水性ポリマー分散体の少なくとも１つにより、交換可能である
を組み合わせた増粘剤、
Ｃ）無機または有機充填剤、特に、チョーク、石灰石粉、砂、大理石粉または二酸化チタン、０〜８８、特に２０〜３５質量％、
Ｄ）無機または有機顔料、特に酸化鉄、０〜２質量％、
Ｅ）助剤、特にPigmentverteiler  Aのような分散助剤および防腐剤、０〜３、特に０〜１質量％
Ｆ）可塑剤、０〜４０、特に０〜１０質量％、および
Ｇ）水
から製造できる組成物から、主として構成される。
【手続補正５】
【補正対象書類名】明細書
【補正対象項目名】００１９
【補正方法】変更
【補正の内容】
【００１９】
無機増粘剤は、親水性または疎水性の高分散、特に熱分解法シリカである。好ましい親水性シリカは、主要量の水、特に純水を有する水性系により湿潤され、火炎加水分解により得られる。疎水性シリカは、例えば、有機シランとの反応により、親水性シリカから得られる。比表面積は、ＤＩＮ６６１３１のＢＥＴ法により測定して、特に１２５〜４００ｍ２／ｇである。高分散シリカは、粉末としても水性分散体としても使用されてよい。その例は、ＨＤＫ（Wacker）およびAerosil（Degussa-Huels）を含む。
【手続補正６】
【補正対象書類名】明細書
【補正対象項目名】００２０
【補正方法】変更
【補正の内容】
【００２０】
有機増粘剤は、好ましくはオイル留分、特に石油留分中に乳化された少なくともアクリル酸およびアクリルアミドに基づくコポリマーの水性系を含む。
しかし、ごく一般的には、それはコポリマーの水性分散体または溶液であってもよい。系の固体含量は、ＤＩＮ５３１８９またはＩＳＯ１６２５で測定して、１０〜４０％の範囲、特に２５〜３５％の範囲にある。ＩＳＯ１１４８またはＤＩＮ５３７８５で測定して、そのｐＨ値は、特に７．５〜９の範囲にある。油中水エマルションの例は、Collacral HP （BASF)およびTexipol types（Scott-Bader)である。
【手続補正７】
【補正対象書類名】明細書
【補正対象項目名】００２１
【補正方法】変更
【補正の内容】
【００２１】
助剤として用いられる有機増粘剤は、少なくともアクリル酸およびアクリルアミドに基づくコポリマーの水性系、好ましくは油中水エマルションの９０質量％および特に５０質量％までを交換してもよい水性分散体または溶液である。その例は：
１）水溶性ポリウレタン増粘剤Nopco DSX 3290(Cognis)、
２）アクリレートおよびメタクリレートおよびカルボキシ官能性コモノマーのターポリマーの水溶液で、会合アニオン性増粘剤であるIndunal T 112(Indulor Chemie)、
３）約３０質量％の固体含量を有するアルカリ−膨潤性アニオン性分散体であるアクリレートポリマー分散体Acrysol TT 615（Rohm & Haas）、
４）アクリル酸およびアクリルアミドに基づくポリマー分散体
である。
【手続補正８】
【補正対象書類名】明細書
【補正対象項目名】００２２
【補正方法】変更
【補正の内容】
【００２２】
充填剤の機能は、収縮を防止し、およびコンシステンシーに影響を及ぼすことである。その例は、特にOmyacarb chalks （Oyma）である。
【手続補正９】
【補正対象書類名】明細書
【補正対象項目名】００２３
【補正方法】変更
【補正の内容】
【００２３】
他の適当な無機充填剤粒子は、例えば、紅柱石、ケイ線石、ラン晶石、ムライト、葉ロウ石、イモゴライトおよびアロフェンである。適当な化合物は、アルミン酸ナトリウムまたはケイ酸カルシウムに基づく化合物である。適当なものは、ミネラルであり、例えば、シリカ、脱硫プラント排ガスから発生したものでない無水物、半水和物、二水和物の形の硫酸カルシウム（石膏）、シリカ粉末、シリカゲル、硫酸バリウム、二酸化チタン、ゼオライト、白リュウ石、カリウム長石、黒雲母、ソロ−、シクロ−、イノ−、フィロ−およびテクトケイ酸塩の群、石膏、硬石膏、または重晶石のような貧溶解性硫酸塩、および方解石、チョーク（ＣａＣＯ３）である。例示した無機材料は個別に用いてよい。しかし、例示した化合物の２つ以上の混合物も同様に用いてよい。
【手続補正１０】
【補正対象書類名】明細書
【補正対象項目名】００２５
【補正方法】変更
【補正の内容】
【００２５】
水溶性ポリマーであるかまたは水分散性ポリマーであるかを容易に決定することが出来ない有機充填剤粒子も適している。これらは、特にプラスチックのリサイクル中に見出される微粉砕プラスチック粉末、とりわけ、高架橋エラストマー、または熱硬化性高分子の微粉砕により得られるプラスチック粉末を含む。そのような粉末の一例は、例えば、自動車タイヤの微粉砕で得られるゴム粉末である。
【手続補正１１】
【補正対象書類名】明細書
【補正対象項目名】００２６
【補正方法】変更
【補正の内容】
【００２６】
顔料の機能は、二次接着剤を着色することである。有機顔料および酸化鉄が好ましい。その例は、Bayferrox型（Bayer)である。
【手続補正１２】
【補正対象書類名】明細書
【補正対象項目名】００２８
【補正方法】変更
【補正の内容】
【００２８】
助剤は、
１）菌およびバクテリアの繁殖を妨げるための防腐剤（防腐剤の例は、JMAC-LP 1%、（ Johnson & Matthey製）およびMergal KM3（ Troy Chemie GmbH製）である）、
２）開放時間および機械特性に影響を与える溶剤（例は、ブチルグリコールである）、
３）接着剤の濡れ性を高める分散剤（例は、Pigmentverteiler A (Pigment Dispersant A)(BASF)である)、
を含む。
凝集剤は通常必要とせず、溶剤を更に添加する必要はない。
１００質量％までの残量は水である。
【手続補正１３】
【補正対象書類名】明細書
【補正対象項目名】００２９
【補正方法】変更
【補正の内容】
【００２９】
二次接着剤のｐＨ値は、通常７以上、好ましくは、７〜１０の範囲である。このｐＨ範囲で、用いられた増粘剤の増粘効果は、最も好適となる。１０より高いｐＨ値では、使用されたアクリレート増粘剤は分解し、その増粘効果に深刻な悪化をもたらす。ｐＨ値が７より低いと、使用された増粘剤の増粘効果が著しく悪化する。
【手続補正１４】
【補正対象書類名】明細書
【補正対象項目名】００３２
【補正方法】変更
【補正の内容】
【００３２】
この接着剤は、従来知られる二次接着剤の場合のように、例えば、ホットメルトガン、ＵＶランプなどの特殊な装置を必要とせず、または、ある比で成分を混合することや、プライマー処理すること等の複雑な作業なしに、使用することが出来る。
【手続補正１５】
【補正対象書類名】明細書
【補正対象項目名】００３３
【補正方法】変更
【補正の内容】
【００３３】
本発明の二次接着剤は、市販されているガンで容易に搾り出すことが出来るカートリッジの中に封入されている。しかし、接着剤は、バケツ、チューブ、および圧力容器（ＴＲＧ３００）に封入されていてもよい。
従って、本発明は、このように包装された接着剤、更に好ましくは、カートリッジ中の接着剤にも関する。
【手続補正１６】
【補正対象書類名】明細書
【補正対象項目名】００３５
【補正方法】変更
【補正の内容】
【００３５】
本発明による接着剤処方は、以下の特徴により区別され、水性系分散剤に基づく他の二次接着剤、特にＧＢ２０６１９９０による接着剤の性能スペクトルから明確に区別される：
１．記載の処方により達成される初期強度が、分散体に基づく二次接着剤について従来知られている接着強度より遥かに大きい。高分子分散体に基づく二次接着剤の試験は、１０ｇ／ｃｍ２という最大初期接着強度をもたらした。対照的に、前記の処方は、１０を超える、より好ましくは≧１５ｇ／ｃｍ２または≧２０ｇ／ｃｍ２の初期接着値を発現した。
２．上記接着剤処方は、非常にはっきりした擬似塑性挙動を示すので、それらは、加工しやすく、取り扱い容易である。ＩＳＯ９０４８により測定される押出量は、組成により広い範囲内で可変であり、通常、４ｍｍのノズル径に対して、２３℃で、１０００〜７０００、特に２０００〜５０００ｇ／分の間である。その非常に高い粘度にもかかわらず、処方は、良好な濡れ挙動を示し、例えば、通常のカートリッジガンによりカートリッジから搾り出すことが出来る。それにもかかわらず、それらはほとんど瞬間に寸法的に安定であるのみならず、補助なしに、重量物でさえ固着することが出来る。
３．本発明の接着剤は、分散体に基づく接着剤であるので、接着剤の乾燥の間有機溶剤蒸気が発生せず、そのため、乾燥は実質上無臭である。加えて、溶剤蒸気による健康への危害がない。接着剤は、このように広い面積を伴う屋内接着に特に適当であり、特に、その開放時間を容易に変えることができ、一般に４０分まで、特に３０分までである。
４．加工は、例えば、ホットメルトに使用されるホットメルトガンのような特別な装置の使用を含まない。従って、本発明は、カートリッジによる発明による接着剤の適用にも関する。接着剤は、基材上に、例えばへらによって容易に塗り広げられる。
５．接着剤は、５０℃で６ヶ月の貯蔵後、変化しないＩＳＯ９０４８押出量に基づき、１８ヶ月を超える保存寿命を有する。
【手続補正１７】
【補正対象書類名】明細書
【補正対象項目名】００３９
【補正方法】変更
【補正の内容】
【００３９】
ＩＩ.接着特性
本発明の接着剤の接着特性を、以下の試験により決定した。
１．初期接着の決定方法
片端に８ｍｍの大きさの穴があいた未処理の木材（ブナ合板）の長さ１５×３ｃｍ試験片に標線をつける。標線は、穴のあいていない３ｃｍ巾の端から１０ｃｍにある。
幅約２ｃｍおよび厚さ２ｍｍの接着剤の薄い層を１０×３ｃｍの表示された領域に塗り広げる。次いで、直径２ｍｍの小球を、接着剤の薄い層の厳密な厚みを保証するため、接着剤ストリップの中央に押し込む。球の間の距離は、約２ｃｍである。球は、塗り広げられた接着剤の中央の仮想直線上に位置する。